(57)【特許請求の範囲】
【請求項１】
略一平面上に並設された一対の配線板間に複数の電線を掛け渡すように布線して該一対の配線板の各表面に該複数の電線をそれぞれ配索し、この一対の配線板間の前記複数の電線の各渡し部を折り曲げて該一対の配線板の各裏面同士を重ね合わせて成る積層配線板組立体において、
前記各配線板として複数のブスバーを絶縁基板にインサート成形して成るブスバー配線板を用い、この一対のブスバー配線板の突き合わされる各端部の裏面側の角部分にアール部をそれぞれ形成すると共に、該各端部の表面側から裏面側にかけて前記複数の電線の各渡し部を収容する電線収容部をそれぞれ形成し、かつこれら各電線収容部の両側に絶縁リブをそれぞれ一体突出形成し、前記一対のブスバー配線板の隣接する各端部同士を突き合わせた状態から前記各絶縁基板より露出した前記各ブスバーの露出部と前記各電線の接続部とを溶接により接合した後で、前記各渡し部を折り曲げる際に前記各アール部同士を当接自在にしたことを特徴とする積層配線板組立体。
【請求項２】
一対の配線板を略一平面上に並列に配置し、この一対の配線板間に複数の電線を掛け渡すように布線して該一対の配線板の各表面に該複数の電線をそれぞれ配索し、次に、前記一対の配線板間の前記複数の電線の各渡し部を折り曲げて該一対の配線板の各裏面同士を重ね合わせて成る積層配線板組立体の製造方法において、
前記各配線板として複数のブスバーを絶縁基板にインサート成形して成るブスバー配線板を用い、この一対のブスバー配線板の隣接する各端部を突き合わせた状態で該一対のブスバー配線板の表面に前記複数の電線を配索した後で、前記各絶縁基板より露出した前記各ブスバーの露出部と前記各電線の接続部とを溶接により接合し、次に、前記一対のブスバー配線板の各端部の裏面側の角部分に形成された各アール部同士を当接させながら前記複数の電線の各渡し部を折り曲げて該一対のブスバー配線板の各裏面同士を重ね合わせると共に、該各端部の表面側から裏面側にかけて形成された各電線収容部に前記各渡し部をそれぞれ収容したことを特徴とする積層配線板組立体の製造方法。
【発明の詳細な説明】
【０００１】
【発明の属する技術分野】
本発明は、複数のブスバーと複数の電線とがマトリックス的に配索された一対の配線板を上下二層に重ねて成り、電気接続箱等に収容される積層配線板組立体及びその製造方法に関する。
【０００２】
【従来の技術】
この種の積層配線板組立体として、図１１〜図１３に示すものがある。この積層配線板組立体１は、図１２に示すように、幅方向に複数のブスバー４を所定間隔毎にインサート成形して成る一対の絶縁基板２，３を所定距離隔てて略一平面上に並列に配置し、この一対の絶縁基板２，３間に複数の電線５を掛け渡すように布線して該一対の絶縁基板２，３の各表面２ａ，３ａ上に該複数の電線５を各ブスバー４と略直交する長手方向にそれぞれ直線的に配索し、次に、一対の絶縁基板２，３間の複数の電線５の各渡し部６を図１２中矢印Ｘ方向に折り曲げて該一対の絶縁基板２，３の各裏面２ｂ，３ｂ同士を重ね合わせることにより組み立てられるようになっている。
【０００３】
また、電線５の布線時に、図１３に示すように、一対の絶縁基板２，３より露出した所定位置のブスバー４の露出部４ａと該ブスバー４の露出部４ａにクロスするように配索された所定位置の電線５の一部５ａは、抵抗溶接用の一対の電極７，８間に挾まれて接合されるようになっている。
【０００４】
尚、この積層配線板組立体１に関する類似技術は、特願平１０−３０８４２４号等に開示されている。
【０００５】
【発明が解決しようとする課題】
しかしながら、前記従来の積層配線板組立体１では、電線５として絶縁被覆のない裸電線を用い、一対の絶縁基板２，３間の複数の電線５の渡し部６が折り曲げられてＵ字状に屈曲した状態で一対の絶縁基板２，３の隣接する各端部２ｃ，３ｃより外側に突出しているため、隣接する各電線５，５の渡し部６，６がショートしたり、リークするおそれがあった。
【０００６】
尚、一対の絶縁基板２，３の隣接する各端部２ｃ，３ｃから屈曲状態で突出する複数の電線５の渡し部６の突出量を可及的に小さくして隣接する各電線５，５の渡し部６，６間のショート等を防ぐために、一対の絶縁基板２，３の組立時にその隣接する各端部２ｃ，３ｃを突き合わせた状態で各電線５の渡し部６を折り曲げようとすると、この渡し部６の折り曲げ時に該渡し部６が伸びて電線５に余分なテンションがかかってしまい、このテンションの発生によりブスバー４の露出部４ａと電線５の一部５ａとの接合状態が不安定になるおそれがある。
【０００７】
そこで、本発明は、前記した課題を解決すべくなされたものであり、電線に余分なテンションを与えずに該電線を簡単に折り曲げることができ、かつ、電線間のショートやリークを確実に防止することができる積層配線板組立体及びその製造方法を提供することを目的とする。
【０００８】
【課題を解決するための手段】
請求項１の発明は、略一平面上に並設された一対の配線板間に複数の電線を掛け渡すように布線して該一対の配線板の各表面に該複数の電線をそれぞれ配索し、この一対の配線板間の前記複数の電線の各渡し部を折り曲げて該一対の配線板の各裏面同士を重ね合わせて成る積層配線板組立体において、前記各配線板として複数のブスバーを絶縁基板にインサート成形して成るブスバー配線板を用い、この一対のブスバー配線板の突き合わされる各端部の裏面側の角部分にアール部をそれぞれ形成すると共に、該各端部の表面側から裏面側にかけて前記複数の電線の各渡し部を収容する電線収容部をそれぞれ形成し、かつこれら各電線収容部の両側に絶縁リブをそれぞれ一体突出形成し、前記一対のブスバー配線板の隣接する各端部同士を突き合わせた状態から前記各絶縁基板より露出した前記各ブスバーの露出部と前記各電線の接続部とを溶接により接合した後で、前記各渡し部を折り曲げる際に前記各アール部同士を当接自在にしたことを特徴とする。
【００１１】
この積層配線板組立体では、一対のブスバー配線板の隣接する各端部を突き合わせた状態で複数の電線の渡し部を折り曲げる際に、各渡し部が電線収容部に収容されながらその伸びが抑えられて折り曲げられるため、各電線の渡し部に余分なテンションが発生することがなく、ブスバーの露出部と電線の接続部との接合部分に負荷がかかることがない。これにより、ブスバーの露出部と電線の接続部との接合状態が安定し、ブスバーと電線の接続不良の発生が確実に防止される。特に、複数の電線の渡し部が収容される各電線収容部の両側の絶縁リブにより隣接する各電線の渡し部間の沿面距離が十分に確保され、各電線の渡し部間のショート及びリークがより確実に防止される。
【００１４】
請求項２の発明は、一対の配線板を略一平面上に並列に配置し、この一対の配線板間に複数の電線を掛け渡すように布線して該一対の配線板の各表面に該複数の電線をそれぞれ配索し、次に、前記一対の配線板間の前記複数の電線の各渡し部を折り曲げて該一対の配線板の各裏面同士を重ね合わせて成る積層配線板組立体の製造方法において、前記各配線板として複数のブスバーを絶縁基板にインサート成形して成るブスバー配線板を用い、この一対のブスバー配線板の隣接する各端部を突き合わせた状態で該一対のブスバー配線板の表面に前記複数の電線を配索した後で、前記各絶縁基板より露出した前記各ブスバーの露出部と前記各電線の接続部とを溶接により接合し、次に、前記一対のブスバー配線板の各端部の裏面側の角部分に形成された各アール部同士を当接させながら前記複数の電線の各渡し部を折り曲げて該一対のブスバー配線板の各裏面同士を重ね合わせると共に、該各端部の表面側から裏面側にかけて形成された各電線収容部に前記各渡し部をそれぞれ収容したことを特徴とする。
【００１７】
この積層配線板組立体の製造方法では、一対のブスバー配線板の隣接する各端部同士を突き合わせた状態でそれらの絶縁基板より露出した各ブスバーの露出部と各電線の接続部とを溶接により接合し、その後で各端部の裏面側の角部分に形成された各アール部同士を当接させながら各電線の渡し部を折り曲げながら各電線収容部に収容したので、ブスバーと電線の接続不良がない高品質の積層配線板組立体が簡単かつ短時間で大量に組み立てられる。即ち、複数の電線の各渡し部を折り曲げるだけの作業により、各電線間のショートやリークがない高品質の積層配線板組立体が簡単かつ短時間で大量に組み立てられる。
【００１８】
【発明の実施の形態】
以下、本発明の一実施形態を図面に基づいて説明する。
【００１９】
図１は本発明の一実施形態の積層配線板組立体の要部を示す拡大断面図、図２は同組立体の組立前の状態を示す斜視図、図３は同組立体の組立後の状態を示す平面図、図４は同組立体の組立後の状態を裏側から見た斜視図、図５は同組立体に用いられるブスバー配線板のブスバーと電線の接合状態を示す部分横断面図、図６は同ブスバーと電線の接合状態を示す部分縦断面図、図７は同ブスバーと電線の接合状態を示す部分平面図、図８は同ブスバーと電線の接合状態を示す部分底面図、図９（ａ）〜図９（ｅ）は同組立体の組立過程を順を追って示す部分断面図、図１０は同組立体を収容する電気接続箱の分解斜視図である。
【００２０】
図１０に示すように、積層配線板組立体２０は、電気接続箱１０の外形を成す合成樹脂製で箱形の上，下ケース１１，１２内に収容されている。即ち、上，下ケース１１，１２内に積層配線板組立体２０を中心にその上下に対称になるように複数のブスバー１４の端子１４ａ，１４ｂを突設させたブスバー配線板１５，１６と複数の電線１７を布線した布線シート１８，１９をそれぞれ配置することにより収容してある。尚、上，下ケース１１，１２にはコネクタ装着部１３Ａ，１３Ｂ等を一体突出形成してある。
【００２１】
図２に示すように、積層配線板組立体２０は、隣接する各端部２１ｃ，２２ｃ同士を突き合わせて略一平面上に並列に配置された一対のブスバー配線板（配線板）２１，２２と、この一対のブスバー配線板２１，２２間に掛け渡すように布線されて該一対のブスバー配線板２１，２２の各表面２１ａ，２２ａにそれぞれ配索された複数の電線３７とを備えている。この複数の電線３７として絶縁被覆のない裸電線が用いられている。
【００２２】
各ブスバー配線板２１，２２は絶縁基板２３，２４の幅方向に複数のブスバー２５，２６を直線的かつ並列にインサート成形して成り、各ブスバー２５，２６の両端には上向きのタブ端子（端子）２５ａ，２５ａ、２６ａ，２６ａをともに同一高さに起立させている。さらに、各絶縁基板２３，２４の表面の各ブスバー２５，２６と略直交する方向には断面凹溝状の電線収容部２７，２８をそれぞれ一体形成してある。この各電線収容部２７，２８は絶縁基板２３，２４の表面からその隣接する各端部の表面側から裏面側にかけて形成されていて、各端部側の各電線収容部２７，２８の両側には絶縁リブ２９，３０をそれぞれ一体突出形成してある。さらに、各電線収容部２７，２８の相対向する内面にはストッパとしての一対の突起２７ａ，２７ａ、２８ａ，２８ａを所定間隔毎に一体突出形成してあり、各電線収容部２７，２８に収容される電線３７が相対向する各一対の突起２７ａ，２７ａ、２８ａ，２８ａ間で挾持されるようにその収容状態が保持されるようになっている。
【００２３】
また、一対のブスバー配線板２１，２２の突き合わされる各端部２１ｃ，２２ｃの裏面側の角部分、即ち、各絶縁基板２３，２４の隣接する各端部に一体突出形成された各絶縁リブ２９，３０の下側には略円弧面状のアール部３１，３２をそれぞれ形成してあり、この隣接する各アール部３１，３２同士は一対の絶縁基板２３，２４間に掛け渡された複数の電線３７の渡し部３７ａを折り曲げて該一対の絶縁基板２３，２４を上下に重ね合わせる際に当接自在になっている。
【００２４】
さらに、所定のブスバー２５，２６の一部は各絶縁基板２３，２４から露出している。即ち、図５〜図８に示すように、各絶縁基板２３，２４の各ブスバー２５，２６の一部は露出部２５ｂ，２６ｂとなって表裏面側に露出しており、その周りには該各ブスバー２５，２６の露出部２５ｂ，２６ｂと各電線３７の接続部３７ｂとを挾んで接合させる抵抗溶接用の一対の電極３８，３９の径より大径の接続用孔３３，３４を形成してある。この接続用孔３３，３４は矩形に形成されていて、該矩形の接続用孔３３，３４の各辺の略中央に各ブスバー２５，２６の露出部２５ｂ，２６ｂと各電線３７の接続部３７ａが位置するようにそれぞれ配置されている。これにより、各接続用孔３３，３４内において各ブスバー２５，２６の露出部２５ｂ，２６ｂと電線３７の接続部３７ｂとが略直交するようにそれぞれ配索され、かつ、各ブスバー２５，２６の露出部２５ｂ，２６ｂは完全に露出されるようになっている。尚、図５に示すように、電線収容部２７，２８と接続用孔３３，３４の境部分には円弧状に湾曲した曲面部２７ｂ，２８ｂをそれぞれ形成してあり、該各曲面部２７ｂ，２７ｂ、２８ｂ，２８ｂに電線３７が隙間なく当接するようになっている。
【００２５】
さらに、図２，図４に示すように、組立完了時に裏側に位置する絶縁基板２４に配索される各ブスバー２６及び電線３７は該絶縁基板２４の略中央を避けてそれぞれ配索されている。そして、この絶縁基板２４の各ブスバー２６及び各電線３７がそれぞれ配索されていない箇所である略中央部には肉抜きとしての略矩形の孔３５を形成してある。
【００２６】
以上実施形態の積層配線板組立体２０を組み立てる場合には、まず、図２及び図９（ａ）に示すように、一対のブスバー配線板２１，２２を隣接する各端部２１ｃ，２２ｃ同士を突き合わせた状態で略一平面上に並列に配置し、この一対のブスバー配線板２１，２２間に複数の電線３７を掛け渡すように布線して該一対のブスバー配線板２１，２２の各表面２１ａ，２２ａに直線的に連なるように形成された各電線収容部２７，２８に電線３７をそれぞれ収容する。この際、各電線収容部２７，２８に収容される電線３７は相対向する各一対の突起２７ａ，２７ａ，２８ａ，２７ａ間でそれぞれ挾持される。また、一方のブスバー配線板２１の電線収容部２７のみに収容されて、他方のブスバー配線板２２の表面２２ａには配索されない電線３７もあるが、全ての電線３７は各電線収容部２７，２８に完全に収容されるので、各ブスバー配線板２１，２２の各表面２１ａ，２２ａより突出することがない。
【００２７】
次に、図５〜図８に示すように、一対のブスバー配線板２１，２２の隣接する各端部２１ｃ，２２ｃ同士を突き合わせた状態で該一対のブスバー配線板２１，２２を成す各絶縁基板２３，２４より一部が露出した各ブスバー２５，２６の露出部２５ｂ，２６ｂと各電線３７の接続部３７ｂとを抵抗溶接用の一対の電極３８，３９を介して接合する。これにより、各電線収容部２７，２８内に電線３７は確実に保持され、図２に示すように、各端部２１ｃ，２２ｃが突き合われた一対のブスバー配線板２１，２２は略平板状になる。
【００２８】
この状態から、図９（ｂ）〜図９（ｄ）に示すように、一対のブスバー配線板２１，２２間に位置する各電線３７の渡し部３７ａを折り曲げる。この際に、一対のブスバー配線板２１，２２の突き合わされた各端部２１ｃ，２２ｃの裏面２１ｂ，２２ｂ側の角部分、即ち、各絶縁リブ２９，３０の下側の円弧面状の各アール部３１，３２同士が当接しながら各電線３７の渡し部３７ａがヒンジとなって他方のブスバー配線板２２を一方のブスバー配線板２１に対して反転させることができると共に、図９（ａ）〜図９（ｅ）に示すように、一対のブスバー配線板２１，２２の各裏面２１ｂ，２２ｂ同士が重ね合わされるまで各電線３７の渡し部３７ａが各端部２１ｃ，２２ｃの表面側から裏面側にかけて形成された各電線収容部２７，２８に収容されながら折り曲げられるため、各電線３７の渡し部３７ａを折り曲げる際に、該各電線３７の渡し部３７ａの伸びが抑えられて各電線３７に余分なテンションが発生することがなく、また、各ブスバー２５，２６の露出部２５ｂ，２６ｂと各電線３７の接続部３７ｂとの接合部分に負荷がかかることがない。これにより、各電線３７と各電線収容部２７，２８内の各一対の突起２７ａ，２７ａ、２８ａ，２８ａとの保持状態が外れることがなく、また、各ブスバー２５，２６の露出部２５ｂ，２６ｂと各電線３７の接続部３７ｂとの接合状態を安定させることができ、ブスバー２５，２６と電線３７の接続不良の発生を確実に防ぐことができる。
【００２９】
そして、図１，図４，図９（ｅ）に示すように、一対のブスバー配線板２１，２２間の各電線３７の渡し部３７ａを略１８０度折り曲げて該一対のブスバー配線板２１，２２の各裏面２１ｂ，２２ｂ同士を重ね合わせることで積層配線板組立体２０の組立が完成する。この際、各電線３７のＵ字状に折り曲げられた渡し部３７ａは、突き合わされた各端部２１ｃ，２２ｃの各電線収容部２７，２８内に完全に収容される。また、各電線３７の隣接するＵ字状に折り曲げられた渡し部３７ａは各端部２１ｃ，２２ｃ側の各電線収容部２７，２８の両側に突設された各絶縁リブ２９，２９，３０，３０により沿面距離が十分に確保される。これらにより、各電線３７のＵ字状に折り曲げられて隣接する各渡し部３７ａ，３７ａ間のショート及びリークを確実に防止することができる。
【００３０】
このように、一対のブスバー配線板２１，２２の隣接する各端部２１ｃ，２２ｃを突き合わせた状態で、該各端部２１ｃ，２２ｃの各アール部３１，３２同士を当接させながら複数の電線３７の各渡し部３７ａを折り曲げて一対のブスバー配線板２１，２２を上下に折り畳むだけの作業により、各電線３７，３７間のショートやリークがない高品質の積層配線板組立体２０を簡単かつ短時間で大量に組み立てることができる。特に、一対のブスバー配線板２１，２２の隣接する各端部２１ｃ，２２ｃ同士を突き合わせた状態でその各絶縁基板２３，２４より露出した各ブスバー２５，２６の露出部２５ｂ，２６ｂと各電線３７の接続部３７ｂとを抵抗溶接により接合し、その後で、各電線３７の渡し部３７ａを折り曲げながら各電線収容部２７，２８に完全に収容するようにしたので、ブスバー２５，２６と電線３７の接続不良がない高品質の積層配線板組立体２０を簡単かつ短時間で大量に組み立てることができる。
【００３１】
尚、前記実施形態によれば、裏面側のブスバー配線板にのみ反り防止用の肉抜き孔を形成したが、表面側のブスバー配線板にも反り防止用の肉抜き孔を形成しても良い。また、肉抜き形成は貫通しない穴状でも良いことは勿論である。さらに、抵抗溶接用の電極が挿入されるブスバーの露出部と電線の接続部の接続用孔は方形に限らず円形や楕円形等でも良いことは勿論である。
【００３３】
【発明の効果】
以上説明したように、請求項１の発明の積層配線板組立体によれば、配線板として複数のブスバーを絶縁基板にインサート成形して成るブスバー配線板を用い、一対のブスバー配線板の隣接する各端部同士を突き合わせた状態から絶縁基板より露出した各ブスバーの露出部と各電線の接続部とを溶接により接合した後で、各電線の渡し部を折り曲げ自在にしたので、一対のブスバー配線板の隣接する各端部を突き合わせた状態で複数の電線の渡し部を折り曲げる際に、各渡し部が電線収容部に収容されながらその伸びが抑えられて折り曲げられるため、各電線の渡し部に余分なテンションが発生することがなく、ブスバーの露出部と電線の接続部との接合部分に負荷がかかることがない。これにより、ブスバーの露出部と電線の接続部との接合状態を安定させることができ、ブスバーと電線の接続不良の発生を確実に防ぐことができる。特に、各電線の渡し部が収容される電線収容部の両側に絶縁リブをそれぞれ一体突出形成したので、各絶縁リブにより隣接する各電線の渡し部間の沿面距離を十分に確保することができ、各電線の渡し部間のショート及びリークをより確実に防止することができる。
【００３６】
請求項２の発明の積層配線板組立体の製造方法によれば、一対のブスバー配線板の隣接する各端部同士を突き合わせた状態でそれらの絶縁基板より露出した各ブスバーの露出部と各電線の接続部とを溶接により接合し、その後で各端部の裏面側の角部分に形成された各アール部同士を当接させながら複数の電線の渡し部を折り曲げながら各電線収容部に収容するようにしたので、ブスバーと電線の接続不良がない高品質の積層配線板組立体を簡単かつ短時間で大量に組み立てることができる。即ち、複数の電線の各渡し部を折り曲げるだけの作業により、各電線間のショートやリークがない高品質の積層配線板組立体を簡単かつ短時間で大量に組み立てることができる。
【図面の簡単な説明】
【図１】本発明の一実施形態の積層配線板組立体の要部を示す拡大断面図である。
【図２】上記積層配線板組立体の組立前の状態を示す斜視図である。
【図３】上記積層配線板組立体の組立後の状態を示す平面図である。
【図４】上記積層配線板組立体の組立後の状態を裏側から見た斜視図である。
【図５】上記積層配線板組立体に用いられるブスバー配線板のブスバーと電線の接合状態を示す部分横断面図である。
【図６】上記ブスバー配線板のブスバーと電線の接合状態を示す部分縦断面図である。
【図７】上記ブスバー配線板のブスバーと電線の接合状態を示す部分平面図である。
【図８】上記ブスバー配線板のブスバーと電線の接合状態を示す部分底面図である。
【図９】（ａ）〜（ｅ）は上記積層配線板組立体の組立過程を順を追って示す部分断面図である。
【図１０】上記積層配線板組立体を収容する電気接続箱の分解斜視図である。
【図１１】従来の積層配線板組立体の斜視図である。
【図１２】上記従来の積層配線板組立体の組立前の状態を示す斜視図である。
【図１３】上記従来の積層配線板組立体に用いられるブスバー配線板のブスバーと電線の接合状態を示す部分横断面図である。
【符号の説明】
２０  積層配線板組立体
２１，２２  一対のブスバー配線板（配線板）
２１ａ，２２ａ  表面
２１ｂ，２２ｂ  裏面
２１ｃ，２２ｃ  端部
２３，２４  絶縁基板
２５，２６  ブスバー
２５ｂ，２６ｂ  露出部
２７，２８  電線収容部
２９，３０  絶縁リブ
３１，３２  アール部
３７  電線
３７ａ  渡し部
３７ｂ  接続部
【図１】
0003820339.tif 000002
【図２】
0003820339.tif 000003
【図３】
0003820339.tif 000004
【図４】
0003820339.tif 000005
【図５】
0003820339.tif 000006
【図６】
0003820339.tif 000007
【図７】
0003820339.tif 000008
【図８】
0003820339.tif 000009
【図９】
0003820339.tif 000010
【図１０】
0003820339.tif 000011
【図１１】
0003820339.tif 000012
【図１２】
0003820339.tif 000013
【図１３】
0003820339.tif 000014